(57)【要約】      （修正有）【課題】デザイン性に富み、防水機能を備え、縫製手法の工夫による強度の確保がなされたポーチを提供する。【解決手段】シリコーン樹脂シートの袋体からなるシリコーン縫製ポーチ１は、側面部２ｂ等を有しており、これら側面部２ｂ等は、底面部を介して連続している。側面部２ｂ等は、その両側方の端部において、両者が重なるように内側に折り返され、接触部分において短手方向に直線状に内側からポリエステル糸により縫合されている。また、側面部２ｂ等は、底面部との接触部分においては底面に平行な方向に直線状に内側から所定長だけポリエステル糸により縫合されている。袋体を構成する側面部２ｂ等の上辺にファスナー部３の両端が縫合され、これにより袋体がファスナー部３により開閉自在に構成される。【選択図】図１
0003174786.tif 000002
【実用新案登録請求の範囲】
【請求項１】
シリコン樹脂による袋体と、
上記袋体の開口部にポリエステルの糸により縫合されたファスナー部と、
を備え、上記袋体は、シリコン樹脂がポリエステルの糸により縫合されて作られたものであること
を特徴とするシリコン縫製ポーチ。
【請求項２】
底面部と、当該底面部で連続した表裏の側面部とを有し、この表裏の側面部の両側方の端部がポリエステルの糸により内側から縫合されて構成された袋体と、
上記袋体を構成する表裏の側面部の上辺に当該側面部の長手方向に沿って縫合されたファスナー部と、
を備え、上記袋体を構成する底面部及び左右の側面部は１枚のシリコン樹脂のシートを成形したものであること
を特徴とするシリコン縫製ポーチ。
【考案の詳細な説明】
【技術分野】
【０００１】
本考案は、シリコン縫製ポーチに関する。
【背景技術】
【０００２】
従来、ポーチには、デザインの多様性が求められており、例えば特許文献１ではファスナー生地のみで袋状にしたポーチが開示されている。同技術では、ファスナー生地のみで袋状形態物を形成することにより、ファスナーの素材感を全面に打ち出している。そして今日では、防水等、機能面の充実も嘱望されている。
【先行技術文献】
【特許文献】
【０００３】
【特許文献１】実用新案登録第３１４５３５７号公報
【考案の概要】
【考案が解決しようとする課題】
【０００４】
しかしながら、前記従来技術では、防水対策や縫製手法の工夫による強度の確保等、機能面の工夫については何ら開示されていなかった。
【０００５】
そこで、本考案は上述の技術的な課題に鑑み、デザイン性に富み、防水機能を備え、縫製手法の工夫による強度の確保がなされたポーチを提供することを目的とする。
【課題を解決するための手段】
【０００６】
上述したような技術的な課題を解決するため、本考案の第１の態様に係るシリコン縫製ポーチは、シリコン樹脂による袋体と、上記袋体の開口部にポリエステルの糸により縫合されたファスナー部と、を備え、上記袋体は、シリコン樹脂がポリエステルの糸により縫合されて作られたものであることを特徴とする。
【０００７】
また、本考案の第２の態様によるシリコン縫製ポーチは、底面部と、当該底面部で連続した表裏の側面部とを有し、側面部の両側方の端部がポリエステルの糸により内側から縫合されて構成された袋体と、上記袋体を構成する表裏の側面部の上辺に当該側面部の長手方向に沿って縫合されたファスナー部と、を備え、上記袋体を構成する底面部及び左右の側面部は１枚のシリコン樹脂のシートを成形したものであることを特徴とする。
【考案の効果】
【０００８】
本考案に係るシリコン縫製ポーチによれば、デザイン性が向上され、防水機能が発揮され、縫製手法の工夫による強度の確保が図られる。
【図面の簡単な説明】
【０００９】
【図１】本考案の一実施形態に係るシリコン縫製ポーチの正面図である。
【図２】本考案の一実施形態に係るシリコン縫製ポーチの平面図である。
【図３】本考案の一実施形態に係るシリコン縫製ポーチの側面図である。
【考案を実施するための形態】
【００１０】
以下、本考案のシリコン縫製ポーチに係る好適な実施形態につき図面を参照しながら説明する。なお、本考案のシリコン縫製ポーチは、以下の記述に限定されるものではなく、本考案の要旨を逸脱しない範囲において、適宜変更可能である。
【００１１】
図１には本考案の一実施形態に係るシリコン縫製ポーチの正面図を示し、図２には当該シリコン縫製ポーチの平面図を示し、図３には当該シリコン縫製ポーチの側面図を示し当該ポーチの構成及び作用について説明する。
【００１２】
これらの図１乃至３に示されるように、シリコン縫製ポーチ１は、側面部２ａ，２ｂを有しており、これら側面部２ａ及び２ｂは、底面部２ｃを介して連続している。即ち、１枚のシリコン樹脂のシートを底面部２ｃにおいて折り返した構成となっている。側面部２ａ，２ｂは、その両側方の端部において、両者が重なるように内側に折り返され、接触部分２ｄにおいて短手方向（即ち、縦方向）に直線状に内側からポリエステル糸により縫合されている。また、側面部２ａ，２ｂは、底面部２ｃとの接触部分２ｅにおいては底面に平行な方向（即ち、横方向）に直線状に内側から所定長だけポリエステル糸により縫合されている。以上の縫合により袋体が構成されることになる。
【００１３】
そして、この袋体の上方の開口部には、ファスナー部３が縫合される。即ち、袋体を構成する側面部２ａ，２ｂの上辺にファスナー部３の両端が縫合され、これにより袋体がファスナー部３により開閉自在に構成される。このファスナー部３には、つまみ部４が接続されており、当該つまみ部４を指で摘まんでポーチ１の左右方向にファスナー部３を開閉することができるようになっている。この側面部２ａ，２ｂへのファスナー部３の縫合にもポリエステルの糸を用いられるので、縫い目が解れたり、通常の使用態様で糸が切れたりすることがない。また、見た目にも美しく縫合することができる。さらに、側面部２ａ，２ｂの縫合位置には、チェーン５も備え付けられている。
【００１４】
一般に、本考案の本体に用いるシリコン樹脂は、耐熱性に優れている。従って、温度の高い室内や炎天下で使用しても耐熱され変形等することはない。また、表面・界面特性に優れており、表面張力が低く、撥水性に優れている。すなわち、耐水性にも優れているので、プールや海水浴等、水場での使用にも好適である。さらに、電気的特性、特に電気絶縁性に優れている。従って、静電気等が発生するのも防止される。さらに、耐候性にも優れており、紫外線、放射線に所定程度は耐えることができる。そして、シリコンの素材感により、独自の風合いを醸し出すことが可能となる。
【００１５】
また、縫合に用いるポリエステル糸は、強度・磨耗に非常に強く、耐磨耗、耐久性に優れている。さらに、弾性力があり、ハリ、コシがある。また、ナイロン、アクリルと比べると耐熱性が高い。従って、このような特性を有するポリエステルの糸によりシリコン樹脂からなる本体を縫合して本考案を製造すれば、縫い目が解れたり、糸が切れたりすることもなく、型崩れしにくく、製品自体の強度も確保される。また、縫い目が見た目にも美しい仕上がりとなる。
【００１６】
以上説明したように、本考案の一実施形態によれば、シリコン樹脂による袋体と、袋体の開口部にポリエステルの糸により縫合されたファスナー部と、を備え、袋体は、シリコン樹脂がポリエステルの糸により縫合されて作られたものであることを特徴とするシリコン縫製ポーチが提供される。
【００１７】
さらに、本考案の一実施形態によれば、底面部２ｃと、当該底面部２ｃで連続した表裏の側面部２ａ，２ｂとを有し、この表裏の側面部２ａ，２ｂの両側方の端部２ｄがポリエステルの糸により内側から縫合されて構成された袋体と、上記袋体を構成する表裏の側面部２ａ，２ｂの上辺に当該側面部の長手方向に沿って縫合されたファスナー部３とを備え、上記袋体を構成する底面部２ｃ及び左右の側面部２ａ，２ｂは１枚のシリコン樹脂のシートを成形したものであることを特徴とするシリコン縫製ポーチが提供される。
【００１８】
以上、本考案の一実施形態について説明したが、本考案はこれに限定されることなく、その主旨を逸脱しない範囲で種々の改良・変更が可能である。
【００１９】
例えば、デザインは、添付図面に示された形状に限定されるものではなく、本体がシリコン樹脂からなり、ポリエステルの糸により縫合された袋体形状の製品一般に種々のデザインで広く適用可能である。
【符号の説明】
【００２０】
１  シリコン縫製ポーチ
２ａ  側面部
２ｂ  側面部
２ｃ  底面部
２ｄ  接触部分
２ｅ  接触部分
３  ファスナー部
４  つまみ部
５  チェーン
【図１】
0003174786.tif 000003
【図２】
0003174786.tif 000004
【図３】
0003174786.tif 000005